(57)【特許請求の範囲】
【請求項１】
除菌液に浸された拭材によって拭材上の通過物を除菌する除菌マットにおいて、
拭材がマット基材表面に接合されてマット基材と一体となっており、マット基材の全周縁部に、除菌液を内側に貯めることができる高さに隆起した中実な隆起部が形成されており、隆起部は断面なだらかな凸状に隆起しており、隆起部で囲まれた内側に貯められた除菌液に拭材が浸されており、拭材は隆起部上にも設けられており、隆起部の外周部は、拭材を有さず且つなだらかな傾斜面となっていることを特徴とする湿式除菌マット。
【請求項２】
隆起部の隆起高さが３ｍｍ以上である請求項１記載の除菌マット。
【請求項３】
拭材が、パイルを有するマット原反、又はスポンジ、又は不織布である請求項１記載の除菌マット。
【発明の詳細な説明】
【０００１】
【発明の属する技術分野】
本発明は、病室、手術室、厨房などの出入口に設置され、洗浄することにより繰り返し使用される、湿式除菌マットに関するものである。
【０００２】
【従来の技術】
食中毒や院内感染などに見られるように、病院や厨房などでは微生物による人への災害が多く発生している。そこで、このような災害の発生に対して予防対策を講じることが必要とされてきている。そして、予防対策の一つとして、床に除菌用のマット（除菌マット）を設置することが行われている。除菌マットは、その上を通過する物、例えば人の履物底を除菌するものである。
【０００３】
そして、除菌マットとしては、図６に示すように、除菌液を貯めた皿状のマットベース２にマット３を浸してなる除菌マット１が使用されていた。マットベース２は、ゴム材や樹脂材でできており、図６のVII−VII断面図である図７に示すように、全周縁に厚い縁部２１が形成されることにより内側の凹部２２に除菌液４を貯めることができるようになっている。マット３は凹部２２に貯められた除菌液４に浸されている。なお、マット３は、パイル３１１が基布３１２にタフトされてなるマット原反３１がマット基材３２表面に接合されてなるものである。
【０００４】
【発明が解決しようとする課題】
ところで、上記構成の除菌マット１は、洗浄することにより繰り返し使用するものであるが、マットベース２は、回収・洗浄作業が面倒であり費用も高くつくため、洗浄されることなく設置されたままとなり、洗浄されるのはマット３だけであった。そのため、マットベース２には汚れが蓄積し、マットベース２の除菌液が及ばない部分には雑菌が繁殖することがあり、特に、マットベース２の裏面は、不衛生になりやすく、異臭を発生するようになることがある。厨房で使用する場合には、マットベース２に食材が付着・蓄積して、特に不衛生になりやすい。
【０００５】
本発明は、上記のようなマットベースに基づく不衛生さを回避できる除菌マットを提供することを目的とする。
【０００６】
【課題を解決するための手段】
請求項１記載の発明は、除菌液に浸された拭材によって拭材上の通過物を除菌する除菌マットにおいて、拭材がマット基材表面に接合されてマット基材と一体となっており、マット基材の全周縁部に、除菌液を内側に貯めることができる高さに隆起した中実な隆起部が形成されており、隆起部は断面なだらかな凸状に隆起しており、隆起部で囲まれた内側に貯められた除菌液に拭材が浸されており、拭材は隆起部上にも設けられており、隆起部の外周部は、拭材を有さず且つなだらかな傾斜面となっていることを特徴としている。
【０００７】
なお、除菌液とは、抗菌剤などを水に溶かしたものである。そして、抗菌剤とは、日本薬局方に掲載の抗菌作用を有する薬剤、工業用の陽イオン界面活性剤であって抗菌作用を有するもの、フェノール系，窒素系，硫黄系，ハロゲン系，又はこれらの複合体などであって抗菌剤と呼ばれるもの、その他の抗菌作用又は殺菌作用又は消毒作用を有する物質を言う。
【０００８】
請求項２記載の発明は、請求項１記載の発明において、隆起部の隆起高さが３ｍｍ以上であるものである。
【０００９】
請求項３記載の発明は、請求項１記載の発明において、拭材が、パイルを有するマット原反、又はスポンジ、又は不織布であるものである。
【００１０】
【発明の実施の形態】
（実施形態１）
図１は本実施形態の除菌マットの断面部分図であり、図７に相当する図である。この除菌マット５は、拭材５１とマット基材５２と除菌液４とからなっている。拭材５１はマット基材５２表面に接合されている。マット基材５２の全周縁部には、除菌液４を内側に貯めることができる高さに隆起した隆起部５２１が形成されている。隆起部５２１は、断面なだらかな凸状に隆起している。拭材５１は、隆起部５２１で囲まれた内側に貯められた除菌液４に浸されている。隆起部５２１の隆起高さＨ１は、例えば４ｍｍである。拭材５１は、パイル５１１が基布５１２にタフトされてなるマット原反である。拭材５１は、隆起部５２１上にも設けられている。
【００１１】
上記構成の除菌マット５は、次のように製造する。即ち、図２に示すように、未加硫のゴム板６１上に、幅の異なる複数個の枠状の未加硫のゴム板６２を断面ピラミッド状に積み重ね、ゴム板６１及びゴム板６２の上に拭材５１（図示せず）を載せ、更にこれらをテフロンシート（図示せず）でサンドイッチ状にして加圧加熱する。これにより、ゴム板６１がマット基材５２となるとともにゴム板６２が隆起部５２１となる。その後、隆起部５２１で囲まれた内側に除菌液４を投入する。
【００１２】
例えば、図２において、ゴム板６２として、厚さＴ＝１．７ｍｍであって、幅Ｗ１＝２．５ｍｍのもの、幅Ｗ２＝７．５ｍｍのもの、幅Ｗ３＝１２．５ｍｍのものを用い、加圧加熱条件が、３Ｋｇｆ／ｃｍ２、１７０℃、１５分間である場合には、図１において、隆起幅Ｗ４＝３０ｍｍで切断すると隆起高さＨ１＝４ｍｍのものが得られる。
【００１３】
上記構成の除菌マット５においては、隆起部５２１が除菌液４を内側に貯めることができる高さに隆起しているので、隆起部５２１で囲まれた内側には除菌液４が流出しないように貯められ、除菌液４に浸された拭材５１のパイル５１１は除菌液４を含浸した状態に維持される。従って、拭材５１上の通過物、例えば人の履物底に対する除菌効果が維持・発揮される。
【００１４】
そして、上記構成の除菌マット５は、拭材５１だけでなく、それと一体となってマットを構成しているマット基材５２も、共に回収して洗浄することにより繰り返し使用される。即ち、図６及び図７に示す従来の除菌マット１のように、マットベース２を設置したままとしておくことはない。従って、設置したままのマットベースに基づく不衛生さが回避される。
【００１５】
（参考形態１）
図３は本参考形態の除菌マットの断面部分図であり、図１に相当する図である。この除菌マット７は、拭材５１の配置以外は除菌マット５と同じである。即ち、除菌マット７において、拭材５１は、隆起部５２１の上には設けられていない。
【００１６】
この除菌マット７の製造は、拭材５１をゴム板６２の上に載せないようにする点以外は、除菌マット５の場合と同様に行う。
【００１７】
この除菌マット７においても、除菌マット５と同様の作用効果を奏する。即ち、拭材５１上の通過物に対する除菌効果が維持・発揮され、また、従来の除菌マットにおける設置したままのマットベースに基づく不衛生さが回避される。
【００１８】
（参考形態２）
図４は本参考形態の除菌マットの断面部分図であり、図１に相当する図である。この除菌マット８は、隆起部５２１の形状以外は除菌マット７と同じである。即ち、除菌マット８において、隆起部５２１は、マット基材５２の縁にて最も高く内側に向けて漸次低くなる形状に、隆起している。
【００１９】
上記構成の除菌マット８は、次のように製造する。即ち、図５に示すように、未加硫のゴム板６１上に、幅の異なる複数個の枠状の未加硫のゴム板６２を内側に向いた断面階段状に積み重ね、ゴム板６２以外のゴム板６１上に拭材５１（図示せず）を載せ、更にこれらをテフロンシート（図示せず）でサンドイッチ状にして加圧加熱する。これにより、ゴム板６１がマット基材５２となるとともにゴム板６２が隆起部５２１となる。その後、隆起部５２１で囲まれた内側に除菌液４を投入する。
【００２０】
例えば、図５において、ゴム板６２として、厚さＴ＝１．７ｍｍであって、幅Ｗ１＝２．５ｍｍのもの、幅Ｗ２＝７．５ｍｍのもの、幅Ｗ３＝１２．５ｍｍのものを用い、加圧加熱条件が、３Ｋｇｆ／ｃｍ２、１７０℃、１５分間である場合には、図４において、隆起幅Ｗ５＝２０ｍｍで切断すると隆起高さＨ１＝４ｍｍのものが得られる。
【００２１】
この除菌マット８においても、除菌マット５と同様の作用効果を奏する。即ち、拭材５１上の通過物に対する除菌効果が維持・発揮され、また、従来の除菌マットにおける設置したままのマットベースに基づく不衛生さが回避される。
【００２２】
（別の実施形態）
実施形態１及び参考形態１、２では、隆起高さＨ１＝４ｍｍとしているが、これに限るものではなく、３ｍｍ以上であれば好ましい。３ｍｍ以上あれば、確実に除菌液を貯めることができるからである。
【００２３】
拭材５１としては、マット原反に限らず、スポンジ又は不織布を用いてもよい。
【００２４】
ゴム板６１，６２は、半加硫のものを用いてもよく、また、互いに材質の異なるものを用いてもよい。
【００２５】
【発明の効果】
請求項１記載の発明によれば、拭材上の通過物に対する除菌効果を維持・発揮でき、また、従来の除菌マットにおける設置したままのマットベースに基づく不衛生さを回避できる。
【００２６】
請求項２記載の発明によれば、隆起部で囲まれた内側に確実に除菌液を貯めることができる。
【００２７】
請求項３記載の発明によれば、拭材上の通過物に対する除菌効果を良好に維持・発揮できる。
【図面の簡単な説明】
【図１】  実施形態１の除菌マットの断面部分図である。
【図２】  図１の除菌マットの製造工程を示す断面部分図である。
【図３】  参考形態１の除菌マットの断面部分図である。
【図４】  参考形態２の除菌マットの断面部分図である。
【図５】  図４の除菌マットの製造工程を示す断面部分図である。
【図６】  従来の除菌マットの分解斜視図である。
【図７】  図６のVII−VII断面矢視図である。
【符号の説明】
４  除菌液
５，７，８  除菌マット
５１  拭材
５２  マット基材
５２１  隆起部
【図１】
0004397477.tif 000002
【図２】
0004397477.tif 000003
【図３】
0004397477.tif 000004
【図４】
0004397477.tif 000005
【図５】
0004397477.tif 000006
【図６】
0004397477.tif 000007
【図７】
0004397477.tif 000008